(57)【特許請求の範囲】
【請求項１】
枡部及びこの枡部に通じる排水パイプが地中に埋設され、地表には一方向に長く、かつ前記枡部の上部に接続してその枡部内に通じる排水トラフが敷設され、前記排水トラフから前記枡部内に雨水を流入させ、この雨水を前記排水パイプを通して排出させることが可能で、前記枡部の底面には開口が形成され、枡部の設置地中に既設の排水管が敷設されているときに前記開口を通して枡部内を前記排水管に連通させることが可能となっていることを特徴とする雨水排水装置。
【請求項２】
前記枡部内には挿脱可能に異物捕捉用のバスケットが収納され、このバスケットはその上部が透水部、下部が貯水部となっており、前記排水トラフから前記枡部内に流入する雨水の一部を前記バスケットの貯水部内に貯留し、残りの雨水を前記透水部から順次流出させて前記排水パイプに流通させることを特徴とする請求項１に記載の雨水排水装置。
【請求項３】
前記排水パイプは水平に対して所定の角度で傾斜する勾配がつけられて前記枡部の側部に接続されていることを特徴とする請求項１又は２に記載の雨水排水装置。
【請求項４】
前記枡部には、その側部に前記排水パイプを接続するときに、その排水パイプの勾配角度を所定の角度に規定するための勾配角度規定手段が設けられていることを特徴とする請求項３に記載の雨水排水装置。
【発明の詳細な説明】
【技術分野】
【０００１】
この発明は、家屋の周辺の敷地や道路沿いの敷地などに施工される雨水排水装置に関する。
【背景技術】
【０００２】
近年、地中に塩ビ製の排水パイプを埋設し、その排水パイプの所定間隔ごとに枡部を設け、その各枡部の上端部の開口部を地表に露出させ、その各開口部に通水が可能な蓋体を装着し、降雨時の雨水を前記蓋体を通して前記枡部内に流入させ、さらにその雨水を枡部から前記排水パイプを通して既設の排水本管に流入させる雨水排水装置が提供されるようになってきている。このような雨水排水装置については例えば特開２００１−６５０４５公報に開示されている。
【発明の開示】
【発明が解決しようとする課題】
【０００３】
しかしながら、このような雨水排水装置においては、各枡部の上端の蓋体が地表に点在するように露出し、降雨時にその点在する枡部の蓋体から雨水が流入するだけであり、このため少雨時には問題がないが、豪雨時には排水径路が狭すぎ、排水能力に限界が生じ、地表に雨水が滞留してしまうことがある。
【０００４】
また、景観的に見ると、家屋の周辺や道路沿いの敷地の地表に各枡部の蓋体が乱雑に点在するように露出するため均整がとれず、その乱雑に点在する蓋体により敷地の全体の景観が低下するという難点がある。
【０００５】
この発明はこのような点に着目してなされたもので、その目的とするところは、地表での排水能力を高めて豪雨時であっても地表の雨水を的確かつ円滑に排出することができ、かつ景観も良好に保つことができる雨水排水装置を提供することにある。
【課題を解決するための手段】
【０００６】
この発明は、枡部及びこの枡部に通じる排水パイプが地中に埋設され、地表には一方向に長く、かつ前記枡部の上部に接続してその枡部内に通じる排水トラフが敷設され、前記排水トラフから前記枡部内に雨水を流入させ、この雨水を前記排水パイプを通して排出させることが可能で、前記枡部の底面には開口が形成され、枡部の設置地中に既設の排水管が敷設されているときに前記開口を通して枡部内を前記排水管に連通させることが可能となっていることを特徴としている。
【０００７】
前記枡部内には挿脱可能に異物捕捉用のバスケットを収納し、このバスケットはその上部を透水部、下部を貯水部とし、前記排水トラフから前記枡部内に流入する雨水の一部を前記バスケットの貯水部内に貯留し、残りの雨水を前記透水部から順次流出させて前記排水パイプに流通させるように構成することも可能である。
【０００８】
また、前記排水パイプは水平に対して所定の角度で傾斜する勾配がつけられて前記枡部の側部に接続される。この場合、前記枡部には、その側部に前記排水パイプを接続するときに、その排水パイプの勾配角度を所定の角度に規定するための勾配角度規定手段を設けることが可能である。
【発明の効果】
【００１０】
この発明の雨水排水装置によれば、地表での排水能力を高めて豪雨時であっても地表の雨水を的確かつ円滑に排出することができ、かつ景観も良好に保つことができる。
【００１１】
そして、各枡部間を繋ぐ排水パイプに勾配をつけるときには、勾配角度規定手段に基づいて排水パイプを所定の規定角度に傾斜させることができる。
【発明を実施するための最良の形態】
【００１２】
以下、この発明の実施形態について図面を参照して説明する。
【００１３】
図１にはこの発明の第１の実施形態に係る雨水排水装置の全体の平面図を示してある。この雨水排水装置は、家屋の周辺の敷地や道路沿いの敷地などの地中に埋設された複数の枡部１と、これら枡部１をつなぐように敷地の地表に敷設された排水トラフ２とを備えている。
【００１４】
図２〜図４にはその枡部１と排水トラフ２との接続部分の構造を拡大して示してあり、図２はその接続部分の一部破断の側面図、図３は同じく正面図、図４は同じく平面図で、また図５には枡部１の正面図、図６は同じく側面図、図７は同じく平面図を示してある。
【００１５】
枡部１は、一対の組部材３をボルト・ナットによる締結具４で締結して一体的な枡形状に組み立てなる。この枡部１は図７に示すように上面に四角形の開口６を有し、さらにこの枡部１の上面には前記開口６を隔てて互いに対向するように起立する一対の支持壁７が一体に突出形成されている。また、枡部１の両側面には、それぞれ周縁に筒体９を有する開口１０が形成されている。
【００１６】
この枡部１は、図２及び図３に示すように、地中に構築された基礎１３の上に設置固定されている。枡部１の高さは、調整用のボルト１４により所定のレベルの高さとなるように調整されている。地中には、塩化ビニールなどの合成樹脂で形成された複数の排水パイプ１６が埋設されている。枡部１の両側に配置された一方の排水パイプ１６の端部は、枡部１の一方の側面の筒体９内に嵌合され、かつ複数のねじ１７を介してその筒体９に固定され、また他方の排水パイプ１６の端部は枡部１の他方の側面の筒体９内に嵌合され、かつ複数のねじ１７を介してその筒体９に固定され、これにより両排水パイプ１６が枡部１を介して一連に繋がり、一方の排水パイプ１６から他方の排水パイプ１６への水の流通が可能となっている。
【００１７】
前記排水トラフ２は、前記排水パイプ１６に沿って延びるように前記枡部１の上部に接続されている。排水トラフ２はステンレスなどの金属板により一方向に長い樋形状で、底面が大きな角度で拡がる断面Ｖ状となっており、この排水トラフ２の両側縁上部には断面Ｌ状の受枠２１が一体的に取り付けられている。
【００１８】
排水トラフ２は図３に示すように、その長手方向の一部の区間が前記枡部１の一対の支持壁７間に嵌合されているとともに、両側の受枠２１が支持壁７の上に載置され、その受枠２１から支持壁７の上面に渡って複数の皿ねじ２３が螺挿され、これら皿ねじ２３により枡部１に排水トラフ２が固定されている。
【００１９】
排水トラフ２の底面には図４に示すように、枡部１の上面の開口６に対応する部分に排水口２５が形成され、この排水口２５が前記開口６を通して枡部１の内部に通じている。そして枡部１の内部には、図２及び図３に示すように、前記排水口２５から前記開口６を通して異物捕捉用のバスケット２６が挿脱可能に挿入されている。このバスケット２６は、断面四角形の有底筒状をなし、その各側面のほぼ上半部には多数の小孔２７が形成され、その小孔２７が形成されたほぼ上半部が水の通過が可能な透水部２８で、ほぼ下半部が水を貯留する貯水部２９となっている。なお、排水トラフ２の底面は枡部１に向って斜め下方に傾斜する小さな勾配を有している。
【００２０】
排水トラフ２の上面の開口部には、通水可能な例えば鋳物製の溝蓋構造の蓋体３１が装着されている。この蓋体３１は排水トラフ２の受枠２１の上に載置されている。受枠２１にはねじ軸３２が複数予め取り付けられており、蓋体３１の上面からその各ねじ軸３２にキャップナット３３が螺挿され、これらキャップナット３３により蓋体３１が排水トラフ２に着脱可能に固定されている。そして、排水トラフ２の全体は、その上面の開口部が地表面と面一となるように地表に敷設されている。
【００２１】
枡部１は複数が所定の間隔を隔てて地中に埋設され、その各枡部１が地中の排水パイプ１６と地表の排水トラフ２とで一連に繋がれている。そして、最端側の排水パイプ１６の端部が排水本管などに接続されている。
【００２２】
このような構成の雨水排水装置においては、降雨時の雨水が地表を伝わって排水トラフ２の全長区間の各部からその内部に流れ込む。そしてこの雨水が排水トラフ２を伝わって枡部１の配置側に流れるとともに排水口２５から枡部１内に流入する。枡部１内に流入した水の一部は、バスケット２６の下半部の貯水部２９内に滞留するが、残りの水はバスケット２６の上半部の透水部２８から順次流出する。そしてこの水が排水パイプ１６を伝わって排水本管側に流通してその排水本管に排出される。
【００２３】
排水トラフ２は家屋の周辺や道路沿いに連続するように敷設されており、このため地表に降った雨水は前述のように排水トラフ２の全長区間の部分においてその内部に順次流れ込み、したがって地表の雨水に対する排水能力が高く、豪雨時などであっても地表に雨水が滞留するようなことがない。
【００２４】
枡部１内に設けられたバスケット２６はその上半部が多数の小孔２７を有する網目状の透水部２８となっており、このため排水トラフ２からバスケット２６内に流入する水に枯葉や小枝などの異物が混入しているときには、その異物がバスケット２６の網目状の透水部２８で捕捉され、枡部１の外部への流出が防止される。なお、バスケット２６内に異物が一定以上溜まったようなときには、排水トラフ２の上面の開口部の蓋体３１を取り外し、枡部１の内部からバスケット２６を抜き取り、その内部の異物を廃棄することにより、バスケット２６の詰まりを防止することができる。
【００２５】
一方、景観的に見た場合、地中に点在する枡部１はその地中に埋設されて家屋の周辺や道路沿いの地表には露出せず、均質的に連続する一連の排水トラフ２が地表に露出するだけであり、このため枡部の上部の蓋体が地表に乱雑に点在するように露出する従来の形態に比べ、全体の景観が格段に向上し、良好な住環境や道路環境を保つことができる。
【００２６】
前記実施形態では、排水パイプ１６の端部を枡部１の側面の筒体９の内周に嵌合し、その筒体９の周面からねじ１７を螺挿して排水パイプ１６を枡部１に固定するようにしたが、図８に第２の実施形態として示すように、枡部１の筒体９の内周面にねじ９ａを形成するとともに、排水パイプ１６の端部の外周面にそのねじ９ａに対応するねじ１６ａを形成し、排水パイプ１６のねじ１６ａを筒体９のねじ９ａにねじ込むことにより排水パイプ１６を枡部１に固定するような形態をとることも可能である。
【００２７】
また、図９及び図１０に第３の実施形態として示すように、枡部１の側面の開口１０の内側に三叉状の留め部材４０を一体的に設け、この留め部材４０の中心部にロッド４１を貫挿し、このロッド４１を介して排水パイプ１６を枡部１に固定することも可能である。  すなわち、この場合には、雨水排水装置を施工する前に、排水パイプ１６の両端部に組み立て前の枡部１の一方の組部材３をそれぞれ嵌着するとともに、その両組部材３の留め部材４０間に渡ってロッド４１を貫挿し、かつそのロッド４１の両端部にナット４２を螺着し、そのナット４２の締め付けによりロッド４１の張力で排水パイプ１６の両端部に組部材３を固定して一体的なユニット体を組み立てる。そしてこのようなユニット体を複数組み立て、施工時に、その各ユニット体を地中に敷設し、一方のユニット体の組部材３と他方のユニット体の組部材３とを突き合わせると共に、その双方の組部材３を締結具４で締結して枡部１を組み立てる手順で施工を進める。
【００２８】
ところで、一つの枡部１と他の一つの枡部１とを繋ぐ排水パイプ１６は、雨水の流れを円滑にするために雨水の流れ方向に向かって下方に僅かに傾斜する勾配をつけることが好ましい。そこで、次に示す第４の実施形態の雨水排水装置においては、排水パイプ１６を配管する際にその排水パイプ１６の勾配角度を所定の角度に規定して配管することができる勾配角度規定手段が設けられている。
【００２９】
この第４の実施形態の雨水排水装置の構造を図１１及び図１２に示してある。なお、図１１及び図１２において、前記各実施形態における構造と対応する部分には同一の符号を付して重複する説明を省略する。
【００３０】
この雨水排水装置では、図１２に示すように、枡部１の両側面の開口１０に通じる筒体９が上下に長いほぼ楕円形となっている。すなわち、枡部１の開口１０は円形であるが、この開口１０の周縁を囲むように枡部１の側面に突出形成された筒体９がほぼ楕円形となっている。そして、筒体９の楕円の中心が開口１０の円の中心より上方に位置するように筒体９の中心と開口６の中心とが上下にずれている。
【００３１】
筒体９の内側上部の部分における枡部１の側面には勾配角度を規定するための目盛５０が付されている。この目盛５０は筒体９の周壁に沿う円弧状の複数本の目盛線５０ａからなる。複数本の目盛線５０ａは上下に並び、その各間隔が例えば４ｍｍとなっている。筒体９の周壁には排水パイプ１６を固定するための止めねじ５１が筒体９の周方向に沿ってほぼ均等的に複数本螺挿されている。これら止めねじ５１は筒体９の外周面側からその内側に向かって螺挿されている。
【００３２】
雨水排水装置の施工の際には、図１１に示すように、所定の間隔で並ぶように、地中の基礎１３の上に枡部１を設置する。この際、各枡部１は同じレベルの高さに設置し、また各枡部１間には排水パイプ１６を掛け渡し、その両端側の端部を各枡部１の筒体９内に嵌合し、その先端を筒体９の内側の枡部１の側面に突き当てる。
【００３３】
次に、目盛５０に基づいて排水パイプ１６に所定の勾配をつける。例えば排水パイプ１６の長さが2000ｍｍで、0.2%の勾配をつける場合には、排水パイプ１６の端部が筒体９の下部内周面に接触して勾配が零の水平の状態から排水パイプ１６の一端側の端部を目盛５０の一目盛分だけ上方に引き上げる。目盛５０の一目盛は、４ｍｍであるから排水パイプ１６の一端側の端部を一目盛分引き上げると、規定の４ｍｍ／2000ｍｍの勾配、すなわち0.2%の勾配がつく。排水パイプ１６に所定の勾配をつけた後には、各筒体９の止めねじ５１を締め付けて排水パイプ１６の両端部をそれぞれ枡部１に固定する。
【００３４】
このようにして各枡部１間を繋ぐ排水パイプ１６を水の流通方向に向かって下り傾斜となる規定の角度の勾配をつける。これにより、雨水を円滑に流通させて排水効率を高めることができる。
【００３５】
ところで、この第４の実施形態においては、図１２に示すように枡部１の底面に開口５５が形成されている。図１２に示す５６は地中に埋設された既設の例えば公共の排水管である。この公共の排水管５６の上に枡部１を設置する場合には、その枡部１の底面の開口５５と排水管５６とを接続管５７で接続して枡部１内を排水管５６内に連通させる。
【００３６】
この場合には、排水トラフ２及び排水パイプ１６を通して枡部１内に流れ込んだ雨水の一部が枡部１の底面の開口５５から排水管５６内に流れ込み、その排水管５６を通して排水本管に排出される。したがって、排水効率をより高めることができる。
【００３７】
なお、公共排水管５６が敷設されていない領域の部分に設置される枡部１においては、枡部１の底面の開口５５は枡部１を基礎１３に据え付ける際に用いるモルタル等で密閉する。
【００３８】
また、地中に容量の大きな貯水槽を設け、その貯水槽に前記排水管５６の一端側端部を接続して雨水をその貯水槽内に貯留するように構成することも可能である。この場合、貯水槽の上部には地表に通じる開口部を設け、その開口部に蓋体を設け、貯水槽内に貯留した雨水を前記蓋体を開いて取り出し、樹木や路面への散水用、打ち水用の水として利用するようなことができる。
【００３９】
ところで前記各実施形態では、排水トラフ２の上面の開口部を鋳物製の溝蓋構造の蓋体３１で覆うようにしたが、図１３に示すような各種の構造の蓋体を用いることも可能である。
【００４０】
図１３（Ａ）は、蓋体としてステンレス製やスチール製のグレーチング３１ａを用いる例である。図１３（Ｂ）は蓋体としてブロック式の充填蓋３１ｂを用いる例である。この例では、排水トラフ２の両側縁上部に取り付けられた受枠２１の高さが高く、その受枠２１と充填蓋３１ｂとの間の隙間から排水トラフ２内に雨水を流入させる。
【００４１】
図１３（Ｃ）は、蓋体としてタイル式の充填蓋３１ｃを用いる例である。図１３（Ｄ）は、蓋体として鋳鉄製グレーチング３１ｄを用いる例である。この例では、排水トラフ２の両側縁上部の受枠２１が背中合わせに対向し、その両受枠２１の起立壁が互いに接近して雨水を受け入れる溝幅が小幅の構造となっている。そして、その小幅の受枠２１間に蓋体としての鋳物製グレーチング３１ｄが装着され、ストッパー２１ａを介して水平に支持されている。
【００４２】
図１３（Ｅ）は、蓋体としてステンレス製のグレーチング３１ｅを用いる例である。この例では、排水トラフ２の両側縁上部の受枠２１が背中合わせに対向し、その両受枠２１の起立壁が互いに接近して雨水を受け入れる溝幅が小幅の構造となっている。そして、その小幅の受枠２１間に蓋体としてのステンレス製のグレーチング３１ｅが装着され、ストッパー２１ａを介して水平に支持されている。
【００４３】
図１３（Ｆ）は、蓋体として板金製スリット式排水枠３１ｆを用いる例である。この例では、排水トラフ２の両側縁上部に受枠に換えて板金製のスリット式排水枠３１ｆを取り付け、その排水枠３１ｆのスリット口から排水トラフ２内に雨水を流入させる。図１３（Ｇ）は、蓋体として鋳鉄製スリット式排水枠３１ｇを用いる例である。この例では、排水トラフ２の両側縁上部に受枠に換えて鋳鉄製のスリット式排水枠３１ｇを取り付け、その排水枠３１ｇのスリット口から排水トラフ２内に雨水を流入させる。図１３（Ｈ）は、蓋体として鋳鉄製グレーチング枠３１ｈを用いる例である。この例では、排水トラフ２の両側縁上部に受枠に換えて鋳物製のグレーチング枠３１ｈを取り付け、その排水枠３１ｈの内側から排水トラフ２内に雨水を流入させる。
【図面の簡単な説明】
【００４４】
【図１】この発明の第１の実施形態に係る雨水排水装置を示す平面図。
【図２】その雨水排水装置の枡部と排水トラフとの接続部分を拡大して示す一部破断の側面図。
【図３】同じくその接続部分の正面図。
【図４】同じくその接続部分の平面図。
【図５】その雨水排水装置の枡部の正面図。
【図６】同じくその枡部の側面図。
【図７】同じくその枡部の平面図。
【図８】この発明の第２の実施形態に係る雨水排水装置の枡部と排水トラフとの接続部分を示す一部破断の側面図。
【図９】この発明の第３の実施形態に係る雨水排水装置の枡部と排水トラフとの接続部分を示す一部破断の側面図。
【図１０】同じくその接続部分の正面図。
【図１１】この発明の第４の実施形態に係る雨水排水装置を示す側面図。
【図１２】その雨水排水装置の枡部の正面図。
【図１３】排水トラフの開口部に設ける蓋体の構造例を示す断面図。
【符号の説明】
【００４５】
１…枡部
２…排水トラフ
３…組部材
６…開口
７…支持壁
９…筒体
１０…開口
１３…基礎
１６…排水パイプ
２１…受枠
２５…排水口
２６…バスケット
２８…透水部
２９…貯水部
３１…蓋体
５０…目盛
５０ａ…目盛線
５５…開口
５６…排水管
５７…接続管
【図１】
0004459947.tif 000002
【図２】
0004459947.tif 000003
【図３】
0004459947.tif 000004
【図４】
0004459947.tif 000005
【図５】
0004459947.tif 000006
【図６】
0004459947.tif 000007
【図７】
0004459947.tif 000008
【図８】
0004459947.tif 000009
【図９】
0004459947.tif 000010
【図１０】
0004459947.tif 000011
【図１１】
0004459947.tif 000012
【図１２】
0004459947.tif 000013
【図１３】
0004459947.tif 000014